(57)【要約】本発明は、ユーザに適切な衣料について助言するためのインテリジェントワードローブ管理システムに関する。そのシステムは、入力データであって、該入力データはワードローブ内の衣料に関する情報を有する、入力データと、ユーザデータとを受信し、前記入力データ及び前記ユーザデータを処理し、その処理に基づいて、ユーザに衣料の提案を出力するように備えられたワードローブ制御器を有する。そのシステムは、ワードローブへのユーザのアクセスを容易にし、促進するものである。
2007537530.tif 000002
【特許請求の範囲】
【請求項１】
ユーザに適切な衣料について助言するためのインテリジェントワードローブ管理システムであって、該インテリジェントワードローブ管理システムはワードローブ制御器を有し、該ワードローブ制御器は：
入力データであって、該入力データはワードローブにおける衣料についての情報を有する、入力データを受信し；
ユーザデータを受信し；
前記入力データ及び前記ユーザデータを処理し；そして
前記の処理に基づいて、前記ユーザに衣料についての提案を出力する；
ことを特徴とするインテリジェントワードローブ管理システム。
【請求項２】
請求項１に記載のインテリジェントワードローブ管理システムであって、前記の受信された入力データが記憶されるデータベースを有する、ことを特徴とするインテリジェントワードローブ管理システム。
【請求項３】
請求項１に記載のインテリジェントワードローブ管理システムであって、前記入力データを得るように備えられている少なくとも１つのスキャナを有する、ことを特徴とするインテリジェントワードローブ管理システム。
【請求項４】
請求項１に記載のインテリジェントワードローブ管理システムであって、該システムはユーザインターフェースを有し、それにより、前記のユーザデータの受信及び前記の衣料の提案の出力の少なくとも一が実行される、ことを特徴とするインテリジェントワードローブ管理システム。
【請求項５】
請求項４に記載のインテリジェントワードローブ管理システムであって、前記ユーザインターフェースは前記衣料の提案を表示するためのビジュアルディスプレイを有する、ことを特徴とするインテリジェントワードローブ管理システム。
【請求項６】
請求項１に記載のインテリジェントワードローブ管理システムであって、該システムを少なくとも１つのネットワークに接続するように備えられているネットワークインターフェースを有する、ことを特徴とするインテリジェントワードローブ管理システム。
【請求項７】
請求項６に記載のインテリジェントワードローブ管理システムであって、前記入力データの少なくとも１つ、前記ユーザデータ及び前記衣料の提案は前記ネットワークインターフェースを介して伝送される、ことを特徴とするインテリジェントワードローブ管理システム。
【請求項８】
請求項６に記載のインテリジェントワードローブ管理システムであって、前記ワードローブの全数検査をするように、前記ネットワークインターフェースにおいて特定の衣料を指定するために備えられている、ことを特徴とするインテリジェントワードローブ管理システム。
【請求項９】
請求項１に記載のインテリジェントワードローブ管理システムであって、前記の受信されるユーザデータは、ユーザが訪問することになっている場所についての情報、及び／又は、その訪問に関連する環境であって、衣料に影響を与える、環境についての情報、及び／又は、前記ユーザが衣料を必要とする前記訪問の期間についての情報を有する、ことを特徴とするインテリジェントワードローブ管理システム。
【請求項１０】
ユーザに適切な衣料について助言するための方法であって：
入力データを受信する段階であって、前記入力データはワードローブにおける衣料についての情報を有する、段階；
ユーザデータを受信する段階；
前記入力データ及び前記ユーザデータを処理する段階；並びに
前記の処理に基づいて、前記ユーザに衣料の提案を出力する段階；
を有することを特徴とする方法。
【請求項１１】
コンピュータプログラムであって、デジタルコンピュータにロード可能であり、請求項１０に記載の方法の段階を実行するためのコンピュータプログラムコード部分を有する、ことを特徴とするコンピュータプログラム。
【発明の詳細な説明】
【技術分野】
【０００１】
本発明は、ユーザに適切な衣料を助言するためのインテリジェントワードローブ管理システムに関する。本発明はまた、ユーザに適切な衣料を助言するための方法及びコンピュータプログラムに関する。
【背景技術】
【０００２】
シャツ、ドレス、スカート、ズボン及びセーターのような衣料を収容するワードローブについてはよく知られている。ユーザが特定のアイテムを必要とするとき、彼は、ワードローブのところに行き、実際に、彼が欲しいものを見つけるまで、種々の衣料全てについて探す。
【０００３】
米国特許第５，６５１，６７７号明細書は、同じ群のひとに関連する場合に着古された衣料の着用の繰り返しが起こらないことを確実にするように、男性及び女性のビジネス用ワードローブを組織化するためのワードローブ管理システムについて開示している。ワードローブ管理システムは、衣料品識別及び英数字情報を記録するために特定領域を有するカレンダーフォーマットのログブックを有する。マーキングタグは一意の英数字情報であり、各々の衣料品に取り付けられている。その英数字情報は、それが取り付けられている衣料品又は衣料品のアクセサリの表現を有するログブックに記録される。将来の収集に対する着用衣料の計画において、一連の及び関連の機能に対して同じ衣料品を着るという繰り返しを回避するように、使用情報の履歴を調べることができる。
【０００４】
しかしながら、このシステムは、ユーザの好みを考慮しないし、旅行のための手荷物の計画において支援しないものである。
【０００５】
特定の衣料がワードローブにおいて見つからない場合、例えば、クリーニング店にあるかも知れない場合、ユーザは代わりのものを見つける必要がある。ユーザが、数日間の旅行に行く場合、彼は、先ず、必要な衣料の種類及び量についての計画を立てる必要があり、次いで、彼は、ワードローブにおいてその衣料全てを見つける必要がある。彼は、常に、異なる衣料のセットが適合することに注意する必要がある。彼の衣料の選択に影響を与える他の因子には、天気予報、気象条件、文化的風習及び習慣、モード傾向がある。彼がある衣料を必要とする期間がまた、彼の考慮において重要である。
【０００６】
しかしながら、衣料を計画する及び求めるプロセスは非常に時間を費やし、多くの努力を必要とする。ひとが、過去におけるより現在において、時間をより価値の高いものとする傾向にあることはよく理解できることである。今日の、このようなより高い価値を有する時間への傾向は、現代の利便性の方に向かう傾向により明らかである。洗濯機、食器洗い機、冷蔵庫等の家庭用電化製品は、殆どのひとにとって欠くことのできない、時間を節約するものである。
【特許文献１】米国特許第５，６５１，６７７号明細書
【発明の開示】
【発明が解決しようとする課題】
【０００７】
それ故、本発明の目的は、衣料の計画を立てる及びそれを見つけることについての上記の課題に対する解決方法を提供することである。
【課題を解決するための手段】
【０００８】
その目的は、請求項１にしたがった、ユーザに対して適切な衣料を助言するためのインテリジェントワードローブ管理システムと、請求項１３にしたがった、ユーザに対して適切な衣料を助言する方法と、請求項２０にしたがって、ユーザに対して適切な衣料を助言するコンピュータプログラムとにより達成される。
【０００９】
本発明の第１の特徴にしたがって、入力データであって、前記入力データはワードローブにおける衣料に関する情報を有する、入力データを受信し、ワードローブ制御器を有し、ユーザデータを受信し、前記入力データ及び前記ユーザデータを処理し、その処理に基づいて、ユーザへの衣料の提案を出力するように備えられているワードローブ制御器を有するインテリジェントワードローブ管理システムが提供される。
【００１０】
本発明の第２の特徴にしたがって、入力データが受信される方法であって、前記入力データはワードローブにおける衣料についての情報を有する方法であり、ユーザデータが受信され、前記入力データ及び前記ユーザデータは処理され、そして、その処理に基づいて、ユーザに対して衣料の提案が出力される、方法が提供される。
【００１１】
本発明の第３の特徴にしたがって、コンピュータプログラムプロダクトであって、前記方法の複数の段階を実行するコンピュー手プログラムコード部分を有するデジタルコンピュータにロード可能である、コンピュータプログラムプロダクトが提供される。
【００１２】
近年、例えば、インテリジェント家屋、インテリジェント冷蔵庫、インテリジェント掃除機、インテリジェント衣料等の高機能家庭用発明物が製造されてきた。それらは、人間の存在に感応し、適合し、反応するあらゆるインテリジェンス周囲環境の部分である。環境インテリジェンスは、ここでは、家庭用自動システムがユーザを識別し、既知の好みにしたがってそれらの機能を調節することを意味する。
【００１３】
本発明の要旨は、ユーザの要求にしたがって適切な衣料を選択するために彼を支援するように、ユーザにインテリジェンス周囲環境を与えることである。ユーザが与えるユーザデータ及びワードローブにおける利用可能な衣料の選択に基づいて、衣料の提案がユーザに対して提案される。ユーザデータは、例えば、彼が行く場所、彼が行うこと及び彼の計画している時間的スケジュール等の、ユーザに関する情報を有する。
【００１４】
上記の概念は、ワードローブへのユーザのアクセスを容易にし、促進する点で有利である。ユーザは、それら全ての高頻度の繰り返して生じる選択を行う必要がある困難さを容易にすることが可能であり、彼は、必要な情報を探すために多くの時間を費やす必要はない。多くのひとは、種々の理由のために、それらの選択を行うことが困難であることを認識している。例えば、一部のひとには彼らが決心することが困難であり、一部のひとは必要な時間を持っていないと思い、一部のひとはその選択を退屈であると思い、一部のひとは色に疎い。本発明は、それらの選択を行う負荷を軽減し、必要は処理を速めるように支援する。
【００１５】
本発明の有利な実施形態にしたがって、インテリジェントワードローブ管理システムは、受信される入力データが記憶されるデータベースを有する。その入力データは、例えば、衣料のタイプ、それら衣料の利用可能性、衣料の色、衣料の年数、衣料が適応する季節、衣料の状態（きれい又はそうでない）又はマッチする好みの衣料品のような、ワードローブに入っている衣料についての情報を保持する。データベースはまた、ユーザの好み及びそれぞれの衣料品の着用履歴を有する。
【００１６】
本発明の他の有利な実施形態にしたがって、前記システムは、少なくとも１つのスキャナ、例えば、前記入力データを得るように備えられているカメラ、バーコードスキャナ及び／又はタグ識別センサを有する。各々の衣料は、前記入力データを得るようにスキャンされる。カメラが用いられる場合、ワードローブに入れられる又はそれから出される衣料品を識別するように、特定種類の画像認識ソフトウェアを用いる必要がある。将来においては、衣料品は、衣料品に関する情報全てを記憶するチップ又は特定の他の情報保持部を備えることが可能である。
【００１７】
本発明の他の有利な実施形態にしたがって、前記システムはユーザインターフェースを有し、それにより、前記のユーザデータの受信及び前記の衣料の助言の出力の少なくとも一が実行される。好適には、ユーザインターフェースは、ユーザデータを入力するためのタッチディスプレイ、キーボードなどの通信インターフェースを有する。更に、ユーザインターフェースは、好適には、前記の衣料の助言について表示するためのビジュアルディスプレイを有する。
【００１８】
本発明の他の有利な実施形態にしたがって、前記システムは、少なくとも１つのネットワークにそのシステムを接続するように備えられているネットワークインターフェースを有する。そのようなネットワークは、例えば、インターネットのようなＷＡＮ（Ｗｏｒｌｄ  Ａｒｅａ  Ｎｅｔｗｏｒｋ）又はＬＡＮ（Ｌｏｃａｌ  Ａｒｅａ  Ｎｅｔｗｏｒｋ）である。このように、ワードローブにおける衣料に関する情報は遠隔的にアクセスすることが可能である。ユーザは、ユーザデータを入力し且つ前記の衣料の助言を受信するように、ワードローブのところに行く必要はないが、彼は、同じビルの他の部屋から、又はそのネットワークにアクセスすることができる世界中の何れのところからさえ、そのような入力及び受信を行うことができる。
【００１９】
更に、情報はまた、反対方向に送信されることができる。前記システムは、前記ネットワークによりそのシステムの外部からの情報にアクセスすることができる。見当たらないが所望の衣料がある場合、ワードローブの全数調査を行うように、ネットワークにおいてユーザが前記衣料を指定することを可能にする。例えば、天気予報、気象条件、文化的状態及び地球の何れの場所に関するモード傾向のような情報はまた、前記ネットワークを介して入手可能である。
【００２０】
本発明の他の有利な実施形態にしたがって、前記システムは、ユーザが訪問することになっている場所についての情報と、その訪問に関する環境であって、その環境が衣料に影響する、環境についての情報とを有する。例えば、ユーザが１つの場所又は幾つかの場所に旅行するように計画しているとき、彼は、前記システムを介して、それらの場所についての非常に有用な情報を得ることができる。例えば、天気予報、気象状況、文化的状態及びモード傾向等の情報は、彼の衣料の選択に影響を与える。例えば、ユーザがフランスのビジネスマンと夕食に行く場合、彼は、フランスのビジネスマンが通常着ているものを考慮して、目立たないようにして着るべきものに関する適切な助言を得ることができる。前記システムは、ネットワーク、例えば、イントラネット及び／又はインターネットを介して、上記の情報全てを得るように構成される。
【００２１】
更に、前記システムは、ユーザが衣料を必要とする前記訪問の期間に関する情報を有する。過ごす期間は必要な衣料の量に影響する。ユーザが家から離れて数日間過ごす場合、彼は、多くの衣料を必要とする。必要な衣料の量を減らすためには、そのシステムは、あるコーディネーションの利点を助言することができる、即ち、衣料品の幾つかは、新しい組み合わせにおいて、二回以上使用されることが可能である。
【００２２】
本発明の更なる特徴及び本発明を用いる有利点については、以下の詳細説明及び特許請求の範囲を読むことにより理解できるようになるであろう。当業者は、本発明の種々の特徴が、上記の実施形態以外の実施形態を構成するように組み合わされることが可能であることを理解することができる。多くの種々の変形、修正及び組み合わせが可能であることは、当業者には明らかである。それ故、上記の実施形態により、特許請求の範囲に記載しているように、本発明の範囲を限定するように意図するものではない。
【００２３】
本発明について、以下、添付図を参照して、例示として詳述する。
【発明を実施するための最良の形態】
【００２４】
図１は、本発明にしたがったインテリジェントワードローブ管理システム１００の模式図である。インテリジェントワードローブ管理システム１００は、種々の衣料品を有するワードローブ１２０を有する。カメラ１５０は、衣料に関する情報を収集するように、ワードローブ１２０における衣料を調査するために用いられる。衣料品は、ワードローブ１２０内に折り畳まれる又は掛けられる前に、カメラの方への正面視で示される。同じ手法が、それらを取り出すときに適用される。カメラ１５０は、実際のワードローブ１２０の外側又は内側に位置付けられることが可能である。代替の実施形態においては、ワードローブ１２０は、調査が行われる“イン−アウト”コンパートメントを収容する。ワードローブ１２０から出したり入れたりされる衣料品を識別するように、画像認識ソフトウェアが用いられる。そのようにして得られた情報は入力データ（ＩＤ）を表し、ワードローブ制御器１１０により受信される。ワードローブ制御器１１０は、データベース（ＤＢ）１４０に前記入力データを記憶する。
【００２５】
疑問“今日、私は何を着ていくことになっている、又は出張に何を持っていかなければならない？”は多くのひとに心当たりがある疑問である。次の例においては、本発明にしたがった、このインテリジェントワードローブ管理システムの実施形態の示すために、海外出張を取り上げる。
【００２６】
ユーザ１３０は、日本とニュージーランドに数日間、出張に行くことにする。ニュージーランドでは、彼は、その数日のうちの１日間、ゴルフをする。帰国の途中で、彼は、スイスアルプスで休日のスキーを彼の家族と楽しむ。彼らは、最終的に帰国する前に、結婚式に出席するためにそこからロンドンに行く。ユーザ１３０は、十分余裕をもって、即ち、一両日中に旅行を開始することにし、彼は、どの衣料品をもって行くべきか、計画する。ユーザの端末は、例えば、キッチンに位置している。ユーザインターフェース（ＵＩ）１６０は、ネットワークインターフェース（ＮＩ）１８０を介して、彼の家のネットワーク、例えば、インターネットのネットワークにアクセスし、それ故、そのユーザインターフェースはインテリジェントワードローブ管理システムとの接続を確立することができる。彼は、例えば、彼が行く場所、彼が行うこと及び彼の計画した時間スケジュールを有するユーザデータ（ＵＤ）を入力する。
【００２７】
ワードローブ制御器１１０は、受信される前記ユーザデータを考慮し、彼の時間スケジュールにしたがって、彼が出席するイベント及び彼が訪れる場所に関連する、例えば、天気予報、気象状態、文化的条件及びモード傾向等の付加的上方について、ＷＡＮ、例えば、インターネットで検索する。ワードローブ制御器１１０は、非常に重要であり、衣料品の選択に影響する幾つかの要素を求める。日本人のビジネスにおける服装基準は厳密である。ユーザが常に色付きシャツを好む場合でさえ、それらのシャツは、この場合、全く適切でなく、地味なスーツ及びネクタイに白いワイシャツが必ず必要である。予想外の雨天が、ゴルフをしているニュージーランドのエリアでは見込まれ、それ故、適切な雨具が必要になる。彼が彼の家族とスキーをする休日のリゾートエリアは、大変な冒険になる温泉地を有している。それ故、温泉用の服装は便利である。ロンドンのガトウィック空港と結婚式会場との間には、２、３の正装用の店があり、彼はタキシードを借りることができる。
【００２８】
ワードローブ制御器１１０は、前記入力データ及び前記ユーザデータを処理し、その処理に基づいて、ユーザ１３０に衣料の提案（ＣＰ）を出力する。彼は、彼が持っていくべきものについて彼に知らせる要約リストを受信する。彼はまた、異なるイベントのために着るべきものについて彼に知らせるイベント特定化リストをまた、受信する。手荷物の重さ及び大きさを減少させるために、彼は衣料品の幾つかを再使用することが可能であることが、彼に提案される。彼は、例えば、種々の組み合わせで彼のジャケット及びズボンを用いることが可能である。彼は、２、３の新しい白いワイシャツを必要とするため、インターネットで倉庫からのそれらのシャツを注文することが彼に提案される。それ故、そのような注文は、ユーザ認証時にワードローブ制御器１１０により操作される。
【００２９】
彼の旅行プラン及び周囲の環境を考慮して、彼は、グレー及びブルーのワイシャツ、幾つかの濃い色のネクタイ、レインコート及び雨靴、水着及びバスローブを持って行くように助言された。彼は、タキシードを注文する必要があるかどうかを聞かれ、それに対して肯定的である場合、複数の選択肢の中から選択することができる。
【００３０】
衣服の提案をビジュアルディスプレイ１７０に示す。彼は、常に、複数の選択肢をブラウズすることにより他の衣料品を選択する。色に疎い場合、彼は得られる支援に感謝し、そうでなければ、適切な衣料のセットを選択することは非常に困難である。提案された衣料を着用して彼が表されるように、ビジュアルディスプレイに衣料の助言が与えられるようにオプションが彼に与えられる。
【００３１】
出発する前の日に、彼は、職場から、ＷＡＮ、例えば、インターネットにおいてインテリジェントワードローブ管理システム１００にログオンする。彼は、２、３の所望の足りないアイテムが彼のワードローブにあることに気が付く。注文した新しい白いワイシャツが届けられ、ズボンがクリーニング店から戻っている。彼はまた、ゴルフの日についての天気予報が尚も当てはまることを認識する。更に、彼は、選択されたタキシードが彼のために予約されたフォーマルウェアショップからの確認を受ける。
【００３２】
本発明の代替の実施形態においては、スキャナはバーコードスキャナ又はタグ識別用センサであり、そのバーコードスキャナ又はタグ識別用センサは、衣料についての情報、即ち、入力データ（ＩＤ）を収集するために用いられることが可能である。このことは、衣料品がバーコード及び識別用タグそれぞれを備え付けられていることを必要とする。それらのバーコード及び識別用タグにより、衣料のタイプ、色、大きさ等を識別する場合、情報収集は非常に容易である。ユーザ１３０がワードローブ１２０に衣料を入れ、前記スキャン装置により衣料を走査するとき、それ故、それらの衣料は識別され、前記入力データ（ＩＤ）はデータベース（ＤＢ）１４０に記憶される。衣料が、例えば、チップの形で、特定の種類のインテリジェントセンサを備え付けられている場合、衣料の情報はまた、例えば、それらの状態（きれい又はそうでない）又はそれらの使用時間、即ち、それらが着用された実際の時間数を含むことが可能である。ワードローブ制御器１１０は、例えば、クリーニング店に、クリーニングされる必要があるズボンを送るように提案することが可能である。
【００３３】
本発明の他の代替の実施形態においては、インテリジェントワードローブ管理システム１００は、ユーザ１３０のデジタル時間スケジュールにアクセスする。このようにして、ワードローブ制御器１００は、多くのユーザデータＩＤを自動的に得ることができる。
【００３４】
本発明の他の代替の実施形態においては、ユーザは、彼の衣料品及び彼の衣料スタイルに関する彼の好みを入力するオプションを有する。この情報はデータベース１４０に記憶され、任意に考慮される。データベースはそれぞれの衣料品の着用履歴を保存し、最も長い時間前に用いられた衣料品は高い優先順位を有するようにみえるが、ユーザがある期間、取り上げない場合、それは取り下げられる。そのシステムは、それらの衣料品のリストがワードローブから取り除かれるように提案されるように適合されている。最も頻度高く使用される衣料品は高い優先順位の状態に割り当てられる、即ち、それらはユーザの好みに属すものである。このことは、単一の衣料品ばかりでなく、用いられる衣料品の組み合わせに対しても適用される。
【００３５】
結論として及び要約として、本発明の有利点は、本発明がワードローブへのユーザのアクセスを容易にし、促進することである。インテリジェントワードローブ管理システムは、衣料、ユーザ及びユーザが訪れることになっている場所に関する必要な情報全てを得、旅行で着るべきもの及び持っていくべきものを提案する。それ故、彼は、衣料の選択についての高頻度のもの全てを選択する必要がある困難さを容易にすることができ、彼は、必要な情報を探すのに多くの時間を費やす必要はない。
【００３６】
上記の実施形態は本発明を例示するものであり、当業者は、同時提出の本発明の範囲から逸脱することなく、複数の代替の実施形態をデザインすることができることに留意する必要がある。例えば、少なくとも特定の範囲までの本発明の具現及び実施は、個別の要素か又はコンピュータソフトウェアのどちらかの形をとることが可能である。用語“を有する”は、請求項に列挙されている要素又は段階以外の要素又は段階の存在を排除するものではない。単数表現は、その要素の複数の存在を排除するものではない。
【図面の簡単な説明】
【００３７】
【図１】本発明にしたがったインテリジェンスワードローブ管理システムの模式図である。
【図１】
2007537530.tif 000003
【国際調査報告】
2007537530.tif 000004
2007537530.tif 000005
2007537530.tif 000006